(57)【要約】【課題】養液栽培によって生育させた野菜等の収穫に際し、鋏の刃が培地に触れたり培地の一部を切り取ったりすることのない鋏を提供する。【解決手段】鋏１は、支軸３を介して相対回動可能に連結される一対の鋏片２Ａ及び２Ｂと、一対の鋏片２Ａ及び２Ｂの回動面Ｐｔから所定の距離ｄだけ離間した想定平面Ｐｖに沿って設けられたアーム部５Ａ及び５Ｂを有し、支軸３を介して一対の鋏片２Ａ及び２Ｂと連結される補助部材と、を備える。【選択図】図１
2016049140.tif 000002
【特許請求の範囲】
【請求項１】
支軸を介して相対回動可能に連結される一対の鋏片と、
前記一対の鋏片の回動面から所定の距離だけ離間した想定平面に沿って設けられたアーム部を有し、前記支軸を介して前記一対の鋏片と連結される補助部材と、を備えることを特徴とする鋏。
【請求項２】
前記想定平面が前記回動面と平行であることを特徴とする請求項１に記載の鋏。
【請求項３】
前記アーム部が二本の棒状部材を備えることを特徴とする請求項１又は２に記載の鋏。
【請求項４】
前記二本の棒状部材が平行に設けられていることを特徴とする請求項３に記載の鋏。
【請求項５】
前記二本の棒状部材が、前記補助部材に固定されている箇所から先端側に向かって両棒状部材間の距離が広がっていくように設けられていることを特徴とする請求項３に記載の鋏。
【発明の詳細な説明】
【技術分野】
【０００１】
本発明は、養液栽培によって生育させた野菜の収穫に用いる鋏に関する。
【背景技術】
【０００２】
昨今、野菜の養液栽培はクリーンルーム内で行われ、また無農薬で栽培することが当然となっており、収穫した野菜を洗わずに食べられるほどに衛生管理されている。しかし、そのような養液栽培であっても、雑菌を完全に排除できているわけではなく、特に培地には雑菌が多く存在している。
【０００３】
ところで、野菜等の収穫に適した種々の鋏がこれまでにも提案されている。例えば特許文献１には、収穫した野菜が落下しないように、収穫した野菜を切断後も掴み具によって掴み続けることができる鋏が開示されている。また、特許文献２にも同様に切断後も収穫物を鋏から離脱させずに保持することができる保持具が開示されている。
【先行技術文献】
【特許文献】
【０００４】
【特許文献１】実開昭５９−１０１９７１号公報
【特許文献２】実開昭６０−０３３８４１号公報
【発明の概要】
【発明が解決しようとする課題】
【０００５】
養液栽培で生育させた野菜、特に葉物野菜を収穫する際には、鋏の刃が培地に触れる機会が増える。図５に示すような一般的な養液栽培装置において生育させた葉物野菜の収穫時には、従来、図６に示すように、片手で切断対象の野菜を支え、もう片方の手に握った鋏の刃が培地に触れないように注意しながら野菜の根元部分を鋏で切断している。
【０００６】
しかしながら、鋏の刃が培地に触れたり培地の一部を切り取ったりすることを完全に排除することはできず、その場合には鋏に雑菌が付着して、その後に収穫する野菜に次々と雑菌が移っていってしまう問題がある。また、切り取ってしまった培地の一部が収穫した野菜にくっついたまま出荷されてしまう問題もある。
【０００７】
本発明は、このような点に鑑みてなされたものであり、養液栽培によって生育させた野菜等の収穫に際し、鋏の刃が培地に触れたり培地の一部を切り取ったりすることのない鋏を提供することを目的とする。
【課題を解決するための手段】
【０００８】
上記目的を達成するために、本発明は、支軸を介して相対回動可能に連結される一対の鋏片と、前記一対の鋏片の回動面から所定の距離だけ離間した想定平面に沿って設けられたアーム部を有し、前記支軸を介して前記一対の鋏片と連結される補助部材と、を備えることを特徴とする鋏を提供する（発明１）。なお、本発明においては、支軸と補助部材とが別々の部材であってもよいし、支軸と補助部材とが一体になった一つの部材であることも排除しない。
【０００９】
上記発明（発明１）によれば、アーム部が培地側に来るように鋏を握り、野菜を収穫しようとする際、鋏の刃が培地に触れる前にアーム部が培地を押さえ付けるため、鋏の刃が培地に触れることなく野菜を収穫することができる。すなわち、養液栽培によって生育させた野菜等の収穫に際し、鋏の刃が培地に触れたり培地の一部を切り取ったりすることがない。
【００１０】
上記発明（発明１）においては、前記想定平面が前記回動面と平行であることが好ましい（発明２）。上記発明（発明２）によれば、特に葉物野菜を収穫する際に、葉物野菜の葉部分と培地との間に鋏の刃と補助部材のアーム部とを差し入れやすくなるため、アーム部によって培地を押さえ付けながら葉物野菜の根元部分を切断することが容易になる。また、アーム部が鋏本体と平行であればコンパクトに収納可能である。
【００１１】
上記発明（発明１，２）においては、前記アーム部が二本の棒状部材を備えることが好ましい（発明３）。上記発明（発明３）によれば、二本の棒状部材の間に野菜の根元部分を挟み込むことができるため、培地を押さえ付けながら葉物野菜の根元部分を切断することがより容易になる。
【００１２】
上記発明（発明３）においては、前記二本の棒状部材が平行に設けられていてもよいし（発明４）、前記二本の棒状部材が、前記補助部材に固定されている箇所から先端側に向かって両棒状部材間の距離が広がっていくように設けられていてもよい（発明５）。
【発明の効果】
【００１３】
本発明の鋏によれば、養液栽培によって生育させた野菜等の収穫に際し、鋏の刃が培地に触れたり培地の一部を切り取ったりすることがないため、収穫した野菜に雑菌が付着することがなく、また、不用意に切り取られた培地の一部が収穫した野菜にくっついたまま出荷されてしまうこともなくなる。
【図面の簡単な説明】
【００１４】
【図１】本発明の一実施形態に係る鋏の構造を示す正面図である。
【図２】同実施形態に係る鋏の構造を示す側面図である。
【図３】図１のＡ−Ａ´線における分解断面図である。
【図４】同実施形態に係る鋏の使用状態を示す説明図である。
【図５】一般的な養液栽培装置と、当該装置において生育させた野菜を示す説明図である。
【図６】従来の野菜の収穫時の様子を示す説明図である。
【発明を実施するための形態】
【００１５】
以下、本発明の実施形態を図面に基づいて詳細に説明する。
【００１６】
図１は本実施形態に係る鋏１の構造を示す正面図、図２は側面図である。鋏１は、図１及び図２に示すように、左右一対の鋏片２Ａ及び２Ｂと、鋏片２Ａ及び２Ｂを相対回動可能に連結する支軸３と、支軸３に保持された支持部材４と、支持部材４にそれぞれ一端が固定された二本のガイド棒５Ａ及び５Ｂとを備えている。左右一対の鋏片２Ａ及び２Ｂは、切断対象物を挟み込んで切断するための刃部２１Ａ及び２１Ｂと、刃部２１Ａ及び２１Ｂによる切断動作を使用者の手指の動きによって行うために使用者が掴む柄部２２Ａ及び２２Ｂとをそれぞれ有している。
【００１７】
図３は図１のＡ−Ａ´線における分解断面図であり、鋏片２Ａ及び２Ｂと支持部材４とが支軸３によって連結されている箇所の構造を示している。鋏片２Ａ及び２Ｂには、図３に示すように、支軸３を通すための連結孔２３Ａ及び２３Ｂがそれぞれ設けられており、支軸３を用いて連結される。また、支持部材４は直方体形状を有し、その中央付近に支軸３を通す貫通孔４１が設けられており、支軸３を用いて鋏片２Ａ及び２Ｂと共に連結される。
【００１８】
支軸３は断面視Ｈ字形状を有し、円柱状の軸部材３１とその両端部に溶接された円盤状の係止部材３２Ａ及び３２Ｂとで構成されている。鋏片２Ａ及び２Ｂを重ねた状態で連結孔２３Ａ及び２３Ｂ並びに貫通孔４１に支軸３の軸部材３１を通し、軸部材３１の両端部に係止部材３２Ａ及び３２Ｂを溶着することにより、鋏片２Ａ及び２Ｂが相対回動可能に連結されるとともに、支持部材４も鋏片２Ａ及び２Ｂと共に連結される。図３に示すように、あらかじめ係止部材３２Ａを軸部材３１に溶着した状態で連結孔２３Ａ及び２３Ｂ並びに貫通孔４１に軸部材３１を通し、係止部材３２Ｂを溶着して連結してもよい。
【００１９】
支持部材４には二本のガイド棒５Ａ及び５Ｂが固定されている。二本のガイド棒５Ａ及び５Ｂは、図１に示すように、それぞれの一端が支持部材４に対して溶接されており、それぞれの他端が同一方向を向くように平行に支持部材４に取り付けられている。このように二本のガイド棒５Ａ及び５Ｂを設けることにより、ガイド棒５Ａ及び５Ｂの間に野菜の根元部分を挟み込むことができるため、培地を押さえ付けながら葉物野菜の根元部分を切断することがより容易になる。
【００２０】
また、二本のガイド棒５Ａ及び５Ｂは、図２に示すように、鋏片２Ａ及び２Ｂの回動面Ｐｔから所定の距離ｄだけ離間し、かつ回動面Ｐｔに対して平行な想定平面Ｐｖに沿って支持部材４に取り付けられている。所定の距離ｄは、鋏としての取り回しの良さや収納の容易さ、野菜の収穫時に鋏の刃が培地に触れることなく二本のガイド棒５Ａ及び５Ｂが培地を押さえ付ける効果が確実に発揮される必要性を考慮すると、１〜２０ｍｍの範囲とすることが好ましい。
【００２１】
本実施形態においては、図２に示すように、想定平面Ｐｖが回動面Ｐｔと平行になるように二本のガイド棒５Ａ及び５Ｂが支持部材４に取り付けられている。これにより、特に葉物野菜を収穫する際に、葉物野菜の葉部分と培地との間に鋏の刃部２１Ａ及び２１Ｂやガイド棒５Ａ及び５Ｂを差し入れやすくなるため、ガイド棒５Ａ及び５Ｂによって培地を押さえ付けながら葉物野菜の根元部分を切断することが容易になる。また、ガイド棒５Ａ及び５Ｂが鋏本体（すなわち鋏片２Ａ及び２Ｂ）と平行であればコンパクトに収納することも可能である。
【００２２】
続いて鋏１の使用方法を示す。図４に示すように、養液栽培装置において生育させた生育させた葉物野菜の収穫をする際、鋏１の使用者は、ガイド棒５Ａ及び５Ｂが培地側に来るように鋏を握り、両柄部２２Ａ及び２２Ｂを離間させて両刃部２１Ａ及び２１Ｂを開いた状態とする。そして、培地をガイド棒５Ａ及び５Ｂで押さえ付けつつ、ガイド棒５Ａ及び５Ｂの間に葉物野菜の根元部分を挟み込み、かつ開いた両刃部２１Ａ及び２１Ｂの間に葉物野菜の切断部位を挟み込む。この状態で、使用者が両柄部２２Ａ及び２２Ｂを握って近接させることによって両刃部２１Ａ及び２１Ｂが閉じ、葉物野菜が切断される。この一連の動作においては、刃部２１Ａ及び２１Ｂが培地に触れる前にガイド棒５Ａ及び５Ｂが培地を押さえ付けるため、刃部２１Ａ及び２１Ｂが培地に触れることなく野菜を収穫することができる。すなわち、養液栽培によって生育させた野菜等の収穫に際し、鋏の刃が培地に触れたり培地の一部を切り取ったりすることがない。
【００２３】
なお、本実施形態においては、ガイド棒５Ａ及び５Ｂが、その先端が同一方向を向くように平行に支持部材４に取り付けられているが、これに限られるものではなく、例えば、ガイド棒５Ａ及び５Ｂが、支持部材４に固定されている箇所から先端側に向かって両ガイド棒５Ａ及び５Ｂ間の距離が広がっていくようにＶ字を形成するように支持部材４に取り付けられていてもよい。ガイド棒５Ａ及び５Ｂを平行に配置する場合の利点は、例えばリーフレタスのような茎が１本のものについては、両刃部２１Ａ及び２１Ｂの刃先を使って切断すればよいので、ガイド棒５Ａ及び５Ｂの先端を使って培地を押さえられるので作業動作が少なく済むということである。また、ガイド棒５Ａ及び５ＢをＶ字に配置する場合の利点は、例えば根元が大きいカブや、根元から何本も茎が広がって出てくる水菜やホウレンソウのようなものについては、両刃部２１Ａ及び２１Ｂを大きく開いて刃全体を使って切断する必要があるので、その際に挟み込む動作が容易になるということである。
【００２４】
以上、本発明に係る鋏の実施形態について図面に基づいて説明してきたが、本発明は上記実施形態に限定されることはなく、種々の変更実施が可能である。例えば、本実施形態においては、支持部材４とガイド棒５Ａ及び５Ｂとが別々の部材となっているが、これに限られるものではなく、例えば支持部材４とガイド棒５Ａ及び５Ｂとが一体に成形された一の部材であってもよい。また、支持部材４と支軸３とが一体に成形された一の部材であってもよいし、支持部材４とガイド棒５Ａ及び５Ｂ、支軸３の全てが一体に成型された一の部材であることも排除しない。
【００２５】
また、本実施形態においては、二本のガイド棒５Ａ及び５Ｂは、回動面Ｐｔに対して平行な想定平面Ｐｖに沿って支持部材４に取り付けられているが、これに限られるものではなく、例えば想定平面Ｐｖが回動面Ｐｔに対して傾いていてもよいし、複数の平面を組み合わせることにより段差を有している想定平面Ｐｖを想定してもよい。
【００２６】
さらに、本実施形態においては、ガイド棒５Ａ及び５Ｂはまっすぐな棒状部材となっているが、これに限られるものではなく、例えば、くの字形状の棒状部材や曲線的な棒状部材、波打っている棒状部材等であってもよい。
【符号の説明】
【００２７】
１  鋏
２Ａ，２Ｂ  鋏片
２１Ａ，２１Ｂ  刃部
２２Ａ，２２Ｂ  柄部
２３Ａ，２３Ｂ  連結孔
３  支軸
４  支持部材
４１  貫通孔
５Ａ，５Ｂ  ガイド棒（アーム部、棒状部材）
【図１】
2016049140.tif 000003
【図２】
2016049140.tif 000004
【図３】
2016049140.tif 000005
【図４】
2016049140.tif 000006
【図５】
2016049140.tif 000007
【図６】
2016049140.tif 000008